(57)【特許請求の範囲】
【請求項１】
固定筒の端部に設けられた補強部材に、光軸回りに回転可能に嵌合すると共に一部が固定筒の外周を覆う回転操作部材を備えたレンズ鏡筒において、
前記補強部材は、前記固定筒の内周面に嵌合する嵌合部と、前記回転操作部材の内周面に嵌合する支持部と、前記嵌合部と前記支持部とを分離し、一方端面が前記固定筒の端面に当接する鍔部とが形成され、
前記補強部材の鍔部外周面と前記固定筒の外周面に同時に、両面に粘着性を有する両面テープの一面を巻いて一体に固定し、該両面テープの他面にて前記固定筒と前記回転操作部材との隙間から内部へのほこりの侵入を阻止するようにしたことを特徴とするレンズ鏡筒。
【発明の詳細な説明】
【０００１】
【発明の属する技術分野】
本発明は、合成樹脂製の固定筒を備えたレンズ鏡筒に関するものである。
【０００２】
【従来の技術】
従来の合成樹脂の固定筒を備えたレンズ鏡筒は、図３、図４に示す如く構成されていた。以下、図面を参照して従来の技術を説明する。
図３は、従来のレンズ鏡筒の縦断面図であり、図４は、図３の部分拡大図である。
【０００３】
図３、図４において、超音波モータは、固定部（ステーター）１０３とそれに加圧接触する回転部１０４（ローター）とで構成され、固定部１０３は、固定筒１０２に光軸回りの回転のみ可能に嵌合することによって保持されている。超音波モータの回転部１０４の回転は、回転部１０４にビス１１１によって固定されたキー１１０に伝達される。また、合焦光学系１０１を保持するレンズ枠１１５には、カムフローア１１４が植設されており、このカムフローア１１４は、固定筒１０２に形成されたリード溝１０２ａに摺動可能に嵌合すると共に、前記のキー１１０にも係合している。従って、回転部１０４を回転させると、カムフローア１１４がリード溝１０２ａ内を摺動し、合焦光学系１０１が回転しながら光軸方向に移動して合焦が行われる。
【０００４】
上記の構成において自動合焦を行う場合には、不図示の制御回路により、超音波モータを制御すれば可能である。
固定筒１０２の中央部外周には、手動操作環１０５が光軸回りに回転のみ可能に嵌合している。手動操作環１０５は、ウェーブワッシャ１１６，連動環１０６，及びキー１０７を介して、超音波モータの固定部１０３と連結している。
【０００５】
手動合焦を行う場合には、手動操作環１０５を回転させる。この回転力を受けて、手動合焦操作環１０５と連動する固定部１０３が回転し、超音波モータの保持トルクにより回転部１０４も一体に回転する。この回転によって、合焦光学系１０１が回転しながら光軸方向に移動することによって合焦が行われる。
手動操作環１０５と連動環１０６との間には、ウェーブワッシャ１１６が配置されている。このウェーブワッシャ１１６は、手動合焦操作中に回転部１０４が回転制限によって強制的に止められた時に、さらに、手動操作環１０５を回転させても、ウェーブワッシャ１１６部において先にすべりを起こさせるものである。これは、超音波モータの回転部１０４と固定部１０３と間の保持トルクに打ち勝って強制的に滑らせることを防止するために配置されている。
【０００６】
固定筒１０２は、合成樹脂で成形されており、超音波モータの配置されている部分の外周部は、肉厚が薄くなっている。この部分を撮影者が保持したときに、固定筒１０２の変形によって、手動操作環１０５の作動調子が悪くならないように、手動操作環１０５との嵌合部には、補強の金属部材１１３が螺合している。一方、手動操作環１０５は、図４に示す如く、微少隙間ｄを有して固定筒１０２にオーバーラップするように金属部材１１３に嵌合している。この微少隙間ｄは防塵、防滴の性能を向上させている。
【０００７】
【発明が解決しようとする課題】
このような従来の構成においては、固定筒を補強するための金属部材を螺合させるために、所定量のネジ部を必要とするので、その分、光軸方向のスペースを占有し、また加えるに、ねじ込み、接着の作業に時間がかかり、コストＵＰにつながるという問題点があった。
【０００８】
また、手動操作環を微少隙間ｄで固定筒にオーバーラップするように設けているが、図４に示す如く、Ａ方向からのほこり、水滴には効果があるが、Ｂ方向からのほこりは、隙間ｄからは入り込み、さらに、給油部まで達したほこりが油を吸収するので、作動ムラの原因となるという問題点もあった。
本発明は、このような従来の問題点に鑑みてなされたものであり、その目的とするところは、固定筒の補強部材が省スペースで容易に設けられ、防塵性にも優れ、コストダウンの図れたレンズ鏡筒を提供することにある。
【０００９】
【課題を解決するための手段】
上記目的を達成するために、本発明請求項１では、固定筒の端部に設けられた補強部材に、光軸回りに回転可能に嵌合すると共に一部が固定筒の外周を覆う回転操作部材を備えたレンズ鏡筒において、前記補強部材は、前記固定筒の内周面に嵌合する嵌合部と、前記回転操作部材の内周面に嵌合する支持部と、前記嵌合部と前記支持部とを分離し、一方端面が前記固定筒の端面に当接する鍔部とが形成され、前記補強部材の鍔部外周面と前記固定筒の外周面に同時に粘着性のテープを巻いて一体に固定したことを特徴とするものである。
【００１０】
また、請求項２では、前記粘着性のテープは両面テープであることを特徴とするものである。
【００１１】
【発明の実施の形態】
以下、本発明の実施の形態を図面を参照して説明する。
図１は、本発明の実施形態であるレンズ鏡筒の縦断面図であり、図２は、図１の部分拡大図である。
、図１、図２において、超音波モータは、固定部（ステーター）３とそれに加圧接触する回転部４（ローター）とで構成され、固定部３は、固定筒２に光軸回りの回転のみ可能に嵌合することによって保持されている。超音波モータの回転部４の回転は、回転部４にビス１１によって固定されたキー１０に伝達される。また、合焦光学系１を保持するレンズ枠１５には、カムフローア１４が植設されており、このカムフローア１４は、固定筒２に形成されたリード溝２ａに摺動可能に嵌合すると共に、前記のキー１０にも係合している。従って、回転部４を回転させると、カムフローア１４がリード溝内を摺動し、合焦光学系１が回転しながら光軸方向に移動して合焦が行われる。
【００１２】
上記の構成において自動合焦を行う場合には、不図示の制御回路により、超音波モータを制御すれば可能である。
固定筒２の中央部外周には、手動操作環５が光軸回りに回転のみ可能に嵌合している。手動操作環５は、ウェーブワッシャ１６，連動環６，及びキー７を介して、超音波モータの固定部３と連結している。
【００１３】
手動合焦を行う場合には、手動操作環５を回転させる。この回転力を受けて、手動操作環５と連動する固定部３が回転し、超音波モータの保持トルクにより回転部４も一体に回転する。この回転によって、合焦光学系１が回転しながら光軸方向に移動することによって合焦が行われる。
手動操作環５と連動環６との間には、ウェーブワッシャ１６が配置されている。このウェーブワッシャ１６は、手動合焦操作中に回転部４が回転制限によって強制的に止められた時に、さらに、手動操作環５を回転させても、ウェーブワッシャ１６部で先にすべりを起こさせるものである。これは、超音波モータの回転部４と固定部３との間の保持トルクに打ち勝って、その間を強制的に滑らせることを防止するために配置されている。
【００１４】
固定筒２は、合成樹脂で成形されており、超音波モータの配置されている部分の外周部は、肉厚が薄くなっている。この部分を撮影者が保持したときに、固定筒２の変形によって、手動操作環５の作動調子が悪くならないように、手動操作環５との嵌合部には、補強部材である金属部材１３が嵌合固定されている。  一方、手動操作環５は、図２に示す如く、微少隙間ｄを有して固定筒２にオーバーラップするように金属部材１３に嵌合している。この微少隙間ｄは防塵、防滴の性能を向上させている。
【００１５】
金属部材１３は、固定筒２の内周面に嵌合する嵌合部１３ａと、手動操作環５の内周面に嵌合する支持部１３ｂと、嵌合部１３ａと支持部１３ｂとを分離し、一方端面が固定筒２の端面に当接する鍔部１３ｃとが形成されている。
そして、この金属部材１３は、嵌合部１３ａを固定筒２の内周面に嵌合させると共に鍔部１３ｃの端面を固定筒２の端面に当接させた後に、鍔部１３ｃの外周と固定筒２の外周に同時に粘着性の両面テープ１４を巻くことによって一体に固定されている。
【００１６】
本発明の実施形態では、補強部材である金属部材１３を固定筒２に固定するために両面テープを使用したので、組立作業が非常に簡単になる。また、微少隙間ｄ内には両面テープが配置されるので、内部に進入しようとするほこりは、テープによって阻止されるので防塵性が飛躍的に向上する。
尚、本発明の実施形態では、金属部材１３の固定に両面テープ１４を使用したが、これにこだわるものでなく、若干の防塵性の低下を無視すれば、片面テープでもよいことは勿論である。
【００１７】
【発明の効果】
以上説明したように、本発明によれば、固定筒の補強部材の固定方法を簡素化したので、補強部材を省スペースで容易に設けられるという効果を奏する。
また、防塵性にも優れ、さらに、コストダウンが図れるという効果も奏する。
【図面の簡単な説明】
【図１】本発明の実施形態であるレンズ鏡筒の縦断面図である。
【図２】図１の部分拡大図である。
【図３】従来のレンズ鏡筒を説明する縦断面図である。
【図４】図３の部分拡大図である。
【符号の説明】
１      合焦光学系
２      固定筒
２ａ    リード溝
３      固定部
４      回転部
５      手動操作環
６      連動環
７      キー
１０    キー
１１    ビス
１３    金属部材
１４    カムフローア
１５    レンズ枠
１６    ウェーブワッシャ
【図１】
0004066084.tif 000002
【図２】
0004066084.tif 000003
【図３】
0004066084.tif 000004
【図４】
0004066084.tif 000005